(57)【要約】【課題】  蛍光体の発光効率の低下を抑制するとともに、電子源からの電子の放出を安定的に供給させることが可能な電界放出型ランプを提供する。【解決手段】  電子線励起蛍光体層を有するメタルバック膜（陽極）が内面に形成され内部が真空排気された発光容器と、該発光容器の内部に陰極上に形成された電子放出源（陰極）と電子引出電極（グリッド電極）を備えてなる電界電子放出型ランプにおいて、該電子線励起蛍光体層を有するメタルバック膜（陽極）に熱的に接触し該発光容器の周囲に配置されたヒートパイプと、該ヒートパイプと該陰極とを熱的に連結するヒートシンクを有する。【選択図】  図１
2006244859.tif 000002
【特許請求の範囲】
【請求項１】
電子線励起蛍光体層を有するメタルバック膜（陽極）が内面に形成され内部が真空排気された発光容器と、該発光容器の内部に陰極上に形成された電子放出源（陰極）と電子引出電極（グリッド電極）を備えてなる電界電子放出型ランプにおいて、該電子線励起蛍光体層を有するメタルバック膜（陽極）に熱的に接触し該発光容器の周囲に配置されたヒートパイプと、該ヒートパイプと該陰極とを熱的に連結するヒートシンクを有することを特徴とする電界電子放出型ランプ。
【請求項２】
前記電子放出源（陰極）が平面状であることを特徴とする請求項１に記載の電界電子放出型ランプ。
【請求項３】
前記電子放出源（陰極）が導電性材料または半導体材料であることを特徴とする請求項１または２に記載の電界電子放出型ランプ。
【請求項４】
前記電子放出源（陰極）がカーボンナノチューブ層またはカーボンナノファイバー層であることを特徴とする請求項１乃至３のいずれかに記載の電界電子放出型ランプ。
【請求項５】
前記電子線励起蛍光体層を有するメタルバック膜（陽極）が平面であり、前記発光容器が箱型であることを特徴とする請求項１乃至４のいずれかに記載の電界電子放出型ランプ。
【請求項６】
前記電子線励起蛍光体層を有するメタルバック膜（陽極）が曲面であり、前記発光容器が球状または半球状であることを特徴とする請求項１乃至４のいずれかに記載の電界電子放出型ランプ。
【請求項７】
前記ヒートパイプが主として前記ガラス容器の外壁に配置されていることを特徴とする請求項１乃至６のいずれかに記載の電界電子放出型ランプ。
【請求項８】
前記ヒートパイプが主として前記ガラス容器の内壁に配置されていることを特徴とする請求項１乃至６のいずれかに記載の電界電子放出型ランプ。
【発明の詳細な説明】
【技術分野】
【０００１】
本発明は、蛍光体の発光効率の低下を抑制するとともに、電子源からの電子の放出を安定的に供給させることが可能な電界放出型ランプに関する。
【背景技術】
【０００２】
従来、電灯や照明としては、白熱灯や蛍光灯が主に用いられている。白熱灯は、内部に配置したタングステンフィラメントに通電することにより、ジュール熱を発生させフィラメントを高温とし、この高温フィラメントからの温度放射中の可視光部分を利用する光源である。この白熱灯は、点光源であるため物体の影が多くでき、物の立体感や質感を出しやすいので屋内では食卓や寝室などで利用されることが多い。これに対して蛍光灯は、細長いガラス管の内壁に蛍光体を塗布し、ガラス管両端の電極間に高電圧を印加することにより、内部に放電が起こり封入された不活性ガスなどから発生する紫外線が蛍光体を励起し発光するものである。蛍光灯は、自然光に近い色を表現できる、または長寿命であるなどの利点があり、屋内外の照明などとして広く利用されている。
【０００３】
しかしながら、白熱灯では、高温となるフィラメントが脆弱で切れやすく寿命が短い、動作初期に余熱などが必要であり応答速度が遅い、別途加熱電源などを必要とするため構造が複雑であるなどの問題がある。これに対して蛍光灯は、長寿命であり、構造体が単純で小型化しやすいなどの利点を有するが、経年劣化により端部電極付近と管中央部とで輝度に差が生じてしまうことや、水銀使用のため環境へ悪影響を及ぼすなどの問題がある。また、従来の蛍光表示装置は、消費電力が少なく経年劣化しにくいが、平面発光で一方向にしか光を照射できず、また発光量も白熱灯や蛍光灯と比べると小さいことから、これらの代用とするのは困難であるという問題がある。
【０００４】
そこで、電界放出電子源を用いた蛍光表示装置の原理を利用し、簡易な構造で全体に高輝度で応答速度が速く、かつ長寿命な照明として利用できる蛍光ランプが考案されている。例えば、下記特許文献１には、電子放出部から放出される電子を、グリッド電極により制御し蛍光体に衝突させて発光させる構造の蛍光表示装置を光源として利用することが開示されている。
【０００５】
特に、低消費電力で高輝度のランプとして、下記特許文献２には、図４に示すような、カーボンナノチューブをカソード電極として用いた電界放出型の画像管が開示されている。図４において、まず、外部回路からリードピン１０９ａ，１０９ｂに電圧を供給することで、カソードリード１１１ａ，１１１ｂを介して電極１０６とハウジング１０６ｄとの間に電界をかける。そして、このことにより、電極１０６上に固定配置された柱状グラファイト１２１のカーボンナノチューブ先端に高電界を集中させ、電子を引き出してメッシュ部１０６ｅより放出させる。そして、外部回路からリードピン１０９に高電圧を供給し、陽極リード１１０→陽極電極構体１０５（円筒状陽極１０５ｂ）→接触片１０７ａの経路をそれぞれ導通してＡｌメタルバック膜１０７にその高電圧が印加された状態をすることで、放出された電子を円筒状陽極１０５ｂにより加速し、Ａｌメタルバック膜１０７を貫通させて蛍光面１０４に衝撃させる。この結果、蛍光面１０４を構成している蛍光体は電子衝撃により励起し、その蛍光体に応じた発光色を、フェースガラス１０２を透過して前面側（フェースガラス１０２側）に発光表示することになる。
【０００６】
このように、炭素、特にカーボンナノチューブをカソード電極として用いることにより、長期に安定して信頼性の高い電界放出型ランプを得ることができる。
【０００７】
一方、箱型の電界電子放出型ランプも知られている。図５に示すように、ガラス容器１内に、金属基板２上のカーボンナノチューブなどを材料とする電子源３からなる電子放出源（陰極）４から放出された電子を電子引出電極５で加速し、電子線励起蛍光体層７を有するメタルバック膜（陽極）６からなる。
【０００８】
【特許文献１】特開２００１−１７６４３３号公報
【特許文献２】特開２００４−１５２５９１号公報
【発明の開示】
【発明が解決しようとする課題】
【０００９】
上記従来の電界電子放出型ランプでは、電子源（エミッタ）から放出された電子線エネルギーが光に変換されずに熱となって蛍光体に蓄積し、蛍光体の発光効率を低下させるという問題があった。これは、以下の通りである。電子線が蛍光体内に進入した際に失うエネルギーが熱エネルギーに変換されるため、蛍光体層が加熱される。蛍光体が加熱されることで、温度消光（熱消光）と呼ばれる現象により、蛍光体の変換効率（発光効率）が低下し、輝度が低下する。輝度を向上させるために加速電圧を上げると、失われる熱エネルギーは増加するが、その熱が蛍光体に保持されることが原因である。
【００１０】
従来技術の問題点に鑑み、本発明は、蛍光体の発光効率の低下を抑制するとともに、電子源からの電子の放出を安定的に供給させることが可能な電界放出型ランプを提供することを目的とする。
【課題を解決するための手段】
【００１１】
本発明者は、電子線エネルギーが光に変換されずに熱となってしまったエネルギーをヒートパイプを用いて電子源へと供給し、再利用することで上記課題が解決されることを見出し本発明に到達した。
【００１２】
即ち、本発明は、電界電子放出型ランプの発明であり、電子線励起蛍光体層を有するメタルバック膜（陽極）が内面に形成され内部が真空排気された発光容器と、該発光容器の内部に陰極上に形成された電子放出源（陰極）と電子引出電極（グリッド電極）を備えてなる電界電子放出型ランプにおいて、該電子線励起蛍光体層を有するメタルバック膜（陽極）に熱的に接触し該発光容器の周囲に配置されたヒートパイプと、該ヒートパイプと該陰極とを熱的に連結するヒートシンクを有することを特徴とする。
【００１３】
本発明の電子放出源（陰極）の形状は制限されないが、特に平面状である場合には、電子線量が多く、引出電極と陽極の間に電磁レンズを設けた場合には、電磁レンズによる収束によって、より高輝度にすることができるとともに、均一化の効果が大きくなる。
【００１４】
本発明の電界電子放出型ランプでは、電子源の材料は特に限定されないが、例えば、電子放出源（陰極）が導電性材料または半導体材料であることが好ましい。より具体的には、先端曲率半径が小さく、低い印加電圧で電界電子放出現象が起きるカーボンナノチューブ、カーボンナノファイバー、先鋭ダイアモンドが好ましく例示される。電子放出源としてカーボンナノチューブまたはカーボンナノファイバーを使用することにより、放出される電子の量が多くなる。そのため蛍光ランプは照明利用として十分な高輝度化が図れる。また、電界電子放出源を用いることにより、白熱灯などの使用時に問題となる余熱などが必要なく応答速度の向上が図れる。
【００１５】
本発明の電界電子放出型ランプの形状は特に限定されず、様々な形状を取ることができる。その中でも、前記電子線励起蛍光体層を有するメタルバック膜（陽極）が平面であり、前記発光容器が箱型である場合と、前記電子線励起蛍光体層を有するメタルバック膜（陽極）が曲面であり、前記発光容器が球状または半球状である場合が典型的である。また、発光容器の下に配置された平面状の陰極表面に電子放出源を配置することにより、電界電子放出源全体から電子が引き出され発光容器内面の発光部の略全領域に電子が衝突し発光するので輝度ムラのない蛍光ランプが得られる。同様に、発光容器の略中央部に配置された球状または半球状の陰極表面に電子放出源を配置することにより、電界電子放出源全体から電子が引き出され発光容器内面の発光部の略全領域に電子が衝突し発光するので輝度ムラのない蛍光ランプが得られる。
【００１６】
本発明において、ヒートパイプの配置は特に限定されず、メタルバック膜（陽極）に熱的に接触し、蛍光体の熱をヒートシンクへ導く設計であれば良い。具体的には、（１）ヒートパイプが主としてガラス容器の外壁に配置されている場合と、（２）ヒートパイプが主としてガラス容器の内壁に配置されている場合が好ましく例示される。
【発明の効果】
【００１７】
電子線励起蛍光体層を有するメタルバック膜（陽極）に熱的に接触し発光容器の周囲に配置されたヒートパイプは、電子線エネルギーが光に変換されずに熱となってしまったエネルギーを電子源へと供給する。ヒートパイプと陰極とを熱的に連結するヒートシンクは、供給された熱エネルギーを電子放出源の加熱に再利用する。
【００１８】
この結果、発光面である蛍光体の発光効率の低下を抑制するとともに、電子源からの電子の放出を安定的に供給させることが可能となる。即ち、以下の効果を奏する。
【００１９】
１．蛍光体内の熱をヒートパイプを通して除去できるため、蛍光体の温度消光を抑制することができる。
２．ヒートパイプの熱を電子源に移動させることができるので、電子源の電子放出性を助けることができる。
３．蛍光体の加熱を気にせずに加速電圧を上げることができるので、高輝度化につながる。
【発明を実施するための最良の形態】
【００２０】
本発明の電界電子放出型ランプの一実施例を図１および図２を参照して説明する。
【００２１】
図１は電界電子放出型ランプの模式断面図を示す。電界電子放出型ランプは、特定形状、図１では箱型のガラス容器１中に、電子線励起蛍光体層７を有するメタルバック膜（陽極）６が内面に形成され、ガラス容器１の内部に金属基板の陰極２上に形成された電子源３からなる電子放出源（陰極）４と電子引出電極（グリッド電極）５を備えてなる。ガラス容器１の内部は真空排気されている。更に、ヒートパイプ９が電子線励起蛍光体層７を有するメタルバック膜（陽極）６に熱的に接触し、発光容器１の外壁に配置され、ヒートシンク８と熱的に連結している。ヒートシンク８は金属基板の陰極２と熱的に連結している。ガラス容器１外には、陰極２とメタルバック膜（陽極）６の間に所定の電界電子放出電圧を、また陰極２と電子引出電極（グリッド電極）５の間に所定の電子加速電圧をそれぞれ印加するための電源を配置する。
【００２２】
電子放出源（陰極）３から放出された電子線は電子引出電極（グリッド電極）５で加速され、メタルバック膜（陽極）６に照射される。この電子線により電子線励起蛍光体層７が発光するが、エネルギーの一部は光エネルギーに変換されず、熱エネルギーとして電子線励起蛍光体層７に蓄積する。蓄積された熱エネルギーは、ヒートパイプ９及びヒートシンク８を介して金属基板の陰極２上の電子放出源（陰極）４に与えられる。この結果、電子線励起蛍光体層７は温度が低下し、高輝度に発光する。又、電子放出源（陰極）４の電子放出性が助けられる。
【００２３】
図２は電界電子放出型ランプの他の例の模式断面図を示す。図１の電界電子放出型ランプでは、ヒートパイプ９が発光容器１の外壁に配置されていたのに対して、図２では、ヒートパイプ９が発光容器１の内壁に配置されている点が相違する。即ち、ヒートパイプ９が電子線励起蛍光体層７を有するメタルバック膜（陽極）６に熱的に接触し、発光容器１の内壁に配置され、ヒートシンク８と熱的に連結している。ヒートシンク８は金属基板の陰極２と熱的に連結している。
【００２４】
図１と同様に、光エネルギーに変換されず熱エネルギーとして電子線励起蛍光体層７に蓄積された熱エネルギーは、ヒートパイプ９及びヒートシンク８を介して金属基板の陰極２上の電子放出源（陰極）４に与えられる。この結果、電子線励起蛍光体層７は温度が低下し、高輝度に発光する。又、電子放出源（陰極）４の電子放出性が助けられる。
【００２５】
図１及び図２では箱型の電界電子放出型ランプを例に説明したが、本発明の電界電子放出型ランプは球状であっても良い。
【００２６】
電子線励起蛍光体層７は、用途に応じて白色蛍光体、または赤色蛍光体、緑色蛍光体、青色蛍光体を組合わせて用いることができ、これらの蛍光体を溶媒に溶かしたペーストをガラス容器内面に印刷・スラリー法等の方法で塗布した後、乾燥して形成する。具体的に用いる蛍光体は、電灯・照明など白色光を必要とする場合では、白色蛍光体としてＺｎＳ：Ａｇ＋ＺｎＳ：Ｃｕ，Ａｌ＋Ｙ２Ｏ２Ｓ：Ｅｕ３＋や、Ｙ２Ｏ２Ｓ：Ｔｂ＋Ｙ２Ｏ３：Ｅｕなどを、色付き照明として利用する場合では、赤色蛍光体Ｙ２Ｏ３：Ｅｕ、緑色蛍光体ＺｎＳ：Ｃｕ、青色蛍光体ＺｎＳ：Ａｇなどを組合わせたものが好適に利用できる。
【００２７】
この中で、温度上昇により、輝度が低下する蛍光体が本発明に好ましく用いられる。例えば、赤色蛍光体Ｙ２Ｏ３：Ｅｕは、管面温度が０℃から１００℃に上昇すると輝度は４０％低下する。Ｇｄ２Ｏ２Ｓ：Ｔｂ３＋も同様に温度上昇に伴う輝度の低下が著しい。
【００２８】
電子放出源（陰極）４を構成する電子源３は、ソケットに固定された絶縁材からなる支持台によりガラス容器１の下部に設置されている。金属基板２には電圧を印加するための陰極用のリードピンが電気的に接続されている。
【００２９】
ここで、支持台の絶縁材質としてはガラス、セラミックス類などが使用でき、例えばフォルステライト、白板・カリガラス、青板・ソーダガラスなどが使用できる。また、支持台上に設置する金属基板２には、半導体チップなどに使用できる配線材料を使用することができる。例えば、チタン（Ｔｉ）、タングステン（Ｗ）、モリブデン（Ｍｏ）、鉄（Ｆｅ）、銅（Ｃｕ）、ニッケル（Ｎｉ）およびこれらの合金、化合物を挙げることができる。
【００３０】
電子放出源３としては、平面状、球状または半球状の金属基板２の表面に形成でき、電子放出しやすい材料であれば用いることができる。そのような材料としては、例えばカーボンナノチューブ、ダイヤモンドライクカーボン（ＤＬＣ）、単結晶ダイヤモンド、多結晶ダイヤモンド、非晶質ダイヤモンド、非晶質カーボン等の炭素系電子放出材料が挙げられる。特に、カーボンナノチューブは電子放出に必要な電圧が低く、また、放出される電子の量も多いため電界電子放出型ランプの省電力および高輝度化が図れることから好適に用いることができる。カーボンナノチューブ層の利用形態としては、単層構造のカーボンナノチューブ層、同軸多層構造のカーボンナノチューブ層などを用いることができる。なお、熱ＣＶＤ法でカーボンナノチューブ層を形成する場合、金属基板２は鉄（Ｆｅ）を含む金属が好適である。
【００３１】
電子放出源４の形成方法は、印刷法、浸漬塗布法、電着塗装法、静電塗装法、乾式法などが用いられる。これらの中でも本発明に好適なカーボンナノチューブ層を金属基板２表面に形成する方法としては、乾式法が好ましい。ここで乾式法とは、レーザー蒸着法、抵抗加熱法、プラズマ法、熱ＣＶＤ法、マイクロ波プラズマＣＶＤ法、電子線蒸着法等、主に気相成長により電子放出源となるカーボンナノチューブなどを形成する方法をいう。好ましくは、不活性ガス若しくは水素ガス存在下に反応ガスを導入する乾式法が好ましく、より好ましくは水素ガス存在下に一酸化炭素を導入し、熱分解した成分を鉄（Ｆｅ）を含む金属からなる金属基板２表面上にカーボンナノチューブとして析出させる方法が好ましい。また、金属基板２上に直接カーボンナノチューブを形成することにより、金属板の表面に滑らかな被膜が形成できる。そのため、電界が該表面に均一に印加されることにより、各箇所で電子が均一に放出されるので、輝度ムラの発生を防止することができる。
【００３２】
電子引出電極（グリッド電極）５は電子放出源４から電子を引き出す電極であり、金属網、開口部を有する金属薄板等で構成され、電子放出源４から引き出された電子が蛍光体７に到達できる形状で形成される。電子引出電極５の材質としては、４２６合金、ステンレス（ＳＵＳ３０４）、インバー、スーパーインバー、ニッケル（Ｎｉ）などが好適に利用できる。また、電子引出電極５の形状は、複数の開口部を有し、電子放出源４の平面状または球形状に合わせ、電子放出源４から所定距離離間して設置している。電子引出電極５の開口部は金属薄板をエッチング加工などにより形成することができ、その平面形状は電子放出源４から引き出される電子に対して電界強度分布が均一になる円形または矩形である。また、電子引出電極５に吸収される無効電流を抑え、効率的に電界を印加するために、電子引出電極５の電子放出源４に対向する面に絶縁層を形成することができる（図示省略）。絶縁層としては、電子引出電極５の形状を保持できる薄膜であり、スパッタリング方法で形成される金属化合物薄膜などを用いることができる。なお、電子引出電極５の支持台への固定は、固定用フリットガラスと、耐熱性導電ペーストとを用いて行なうことが好ましい。この両者を併用することで、電子引出電極５の固定と電子引出電極５用のリードピンの電気的接続が同時にできる。
【００３３】
上記のような構成において、外部回路からリードピンを介して金属基板２および電子引出電極５に電圧を供給し、金属基板２と電子引出電極５との間に電界をかけ、カーボンナノチューブ層などの電子源３より電子を引き出す。この時、リードピンを介して陽極側のメタルバック膜６に高電圧を供給しておくことにより、電子源３より放出した電子が陽極側の蛍光体層７に衝突し、それぞれの蛍光体に応じた発光色で発光する。
【００３４】
［実施例］
赤色蛍光体Ｙ２Ｏ３：Ｅｕを用いて、図１の構造の電界電子放出型ランプで、点灯時間と相対輝度を調べた。比較のために、同じ電界電子放出型ランプであるがヒートパイプ及びヒートシンクの熱引き無しで、点灯時間と相対輝度を調べた。図３に、結果を示す。５分後の管面温度は７０℃であることから、蛍光体の実際の温度は１００℃以上であると推測される。熱引き有りの本発明の実施例では、輝度の低下は７．８％であったのに対して、熱引き無しの比較例では、輝度の低下は１４．３％であった。
【産業上の利用可能性】
【００３５】
本発明の電界電子放出型ランプは、ヒートパイプ及びヒートシンクを有しているので、電子線エネルギーが光に変換されずに熱となってしまったエネルギーを電子源へと供給し、再利用することができる。この結果、管面温度（蛍光体層）の上昇による蛍光体の発光効率の低下を抑制するとともに、電子源からの電子の放出を助けることが可能となる。
【００３６】
また、電界放出型陰極を用いるため、加熱電源が必要なくなるなどその取り扱いおよび製造が容易となり、応答速度の向上が図れるとともに、電界電子放出型ランプの寿命が大幅に長くなる。
【００３７】
これらにより、本発明の電界電子放出型ランプは種々の分野で用いられる。
【図面の簡単な説明】
【００３８】
【図１】本発明の電界電子放出型ランプの一実施例を示す断面図。
【図２】本発明の電界電子放出型ランプの他の実施例を示す断面図。
【図３】赤色蛍光体Ｙ２Ｏ３：Ｅｕを用いた場合の、点灯時間と相対輝度の関係を示すグラフ。
【図４】従来の電界電子放出型ランプの一例を示す断面図。
【図５】従来の電界電子放出型ランプの他の例を示す断面図。
【符号の説明】
【００３９】
１：ガラス容器、２：金属基板、３：電子源、４：電子放出源（陰極）、５：電子引出電極（グリッド電極）、６：メタルバック膜（陽極）、７：電子線励起蛍光体層、８：ヒートシンク、９：ヒートパイプ。
【図１】
2006244859.tif 000003
【図２】
2006244859.tif 000004
【図３】
2006244859.tif 000005
【図４】
2006244859.tif 000006
【図５】
2006244859.tif 000007